【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
（ａ）式、
−Ｃ＝ＮＨ（ＯＲ）
（式中、Ｒは、ＦまたはＣｌ置換基を有しても良いＣ1〜Ｃ10の脂肪族基である。）を有するペンダントのイミデート基を有するフルオロポリマーおよび、任意に
（ｂ）一般式、
ＣＦ2＝ＣＦＯ（Ｒ'fＯ）a（Ｒ"fＯ）bＲf
（式中、Ｒ'fおよびＲ"fは同一または異なるＣ1〜Ｃ6直鎖または分枝鎖ペルフルオロアルキレン基であり、ａおよびｂは独立に０または１〜１０の整数であり、ＲfはＣ1〜Ｃ8ペルフルオロアルキル基またはＣ1〜Ｃ15ペルフルオロアルコキシ基である。）を有する、ペルフルオロビニルエーテルの共重合単位、
を含む組成物であって、
任意に、前記フルオロポリマーが、テトラフルオロエチレンおよび／またはクロロトリフルオロエチレン；および任意に、式、
ＣＦ2＝ＣＦ−Ｒf1、
ＣＦ2＝ＣＦ−Ｏ−Ｒf2および
ＣＨ2＝ＣＲ2
（式中、Ｒf1はＣ1〜Ｃ8ペルフルオロアルキルであり、Ｒf2はＲf1またはＣ1〜Ｃ15ペルフルオロアルコキシであり、ＲはＨ、Ｆ、Ｃｌから、あるいはＦまたはＣｌ置換基を有しても良いＣ1〜Ｃ8脂肪族基から選択される。）によって表される１つ以上のエチレン性不飽和モノマー、から誘導される共重合単位をさらに含み、および
任意に、前記ペンダントのイミデート基が、フルオロポリマー主鎖に直接付着するか、あるいは少なくともいくつかのペンダントのイミデート基が、前記ペンダントのイミデート基とポリマー主鎖との間に挟まれた置換または非置換アルキル鎖を有するか、あるいはペンダントのイミデート基とポリマー主鎖との間に挟まれた少なくともいくつかのアルキル鎖が、アルコキシ側鎖を有する、組成物。
【請求項２】
（ａ）  ペンダントのイミデート以外の硬化部位モノマーから誘導される共重合単位；
（ｂ）  １つ以上の二価の金属アミン錯体触媒；
（ｃ）  ビスアミノフェノールと、ビスアミドオキシムと、アンモニウム塩と、アンモニア生成化合物と、ヒ素、アンチモンおよび／又はスズの有機金属化合物とから選択される追加の硬化剤；
（ｄ）  一般式、
｛Ｒ(Ａ)n｝(-n)｛ＱＲ"k(+)｝n
（式中、｛Ｒ(Ａ)n｝(-n)は、酸アニオンまたは酸誘導体アニオンであり、ｎは、前記アニオン中のＡ基の個数であり、Ｒは水素含有の部分フッ素化または過フッ素化Ｃ1〜Ｃ20アルキルまたはアルケニル、Ｃ3〜Ｃ20シクロアルキル、Ｃ6〜Ｃ20シクロアルケニル、またはＣ6〜Ｃ20アリールまたはアルキルアリール、または過フッ素化Ｃ6〜Ｃ20アリールまたはアルキルアリールであり、Ａは酸アニオンまたは酸誘導体アニオンであり、Ｑはリン、イオウ、窒素、ヒ素、またはアンチモンであり、ｋはＱの原子価よりも１大きく、各Ｒ"は独立に水素または置換または非置換Ｃ1〜Ｃ20アルキル、アリール、アラルキルまたはアルケニル基である。）を有する化合物を含む触媒組成物；又は
（ｅ）  それらの組み合わせ
をさらに含む、請求項１に記載の組成物。
【請求項３】
フルオロポリマーが、
（ｉ）テトラフルオロエチレンと、
（ｉｉ）式、
（ａ）ＣＦ2＝ＣＦＯ（Ｒ'fＯ）a（Ｒ"fＯ）bＲf
（式中、Ｒ'fおよびＲ"fは同一または異なるＣ1〜Ｃ6直鎖または分枝鎖ペルフルオロアルキレン基であり、ａおよびｂは独立に０または１〜１０の整数であり、ＲfはＣ1〜Ｃ8ペルフルオロアルキル基またはＣ1〜Ｃ15ペルフルオロアルコキシ基である。）
（ｂ）ＣＦ2＝ＣＦＯ（ＣＦ2ＣＦＸＯ）nＲf
（式中、ＸはＦまたはＣＦ3であり、ｎは０〜５であり、ＲfはＣ1〜Ｃ8ペルフルオロアルキル基である。）、
（ｃ）ＣＦ2＝ＣＦＯ［（ＣＦ2）m（ＣＦＺ）uＯ］nＲf
（式中、ＲfはＣ1〜Ｃ8ペルフルオロアルキル基であり、ｍは１〜５であり、ｕは０〜５であり、ｎは０〜５であり、ＺはＦまたはＣＦ3である。）、
（ｄ）ＣＦ2＝ＣＦＯ［（ＣＦ2ＣＦ（ＣＦ3）Ｏ）g（ＣＦ2）kＯ（ＣＦ2）p］ＣxＦ2x+1
（式中、ｇは０または１〜１０の整数であり、ｋは１〜６の整数であり、ｐは０〜３であり、ｘは１〜５である。）、
（ｅ）ＣＦ2＝ＣＦＯ（ＣＦ2）t［ＣＦ（ＣＦ3）］uＯ（ＣＦ2Ｏ）wＣxＦ2x+1
（式中、ｔは１〜３であり、ｕは０〜１であり、ｗは０〜３であり、ｘは１〜５である。）、
（ｆ）ＣＦ2＝ＣＦ−［（Ｏ−ＣＦ2−ＣＦ（ＣＦ3））n−Ｏ−（ＣＦ2）m−Ｃ＝ＮＨ（ＯＲ）、
（式中、ｍは１〜５であり、ｎは０〜５であり、ＲはＦまたはＣｌ置換基を有しても良いＣ1〜Ｃ10の脂肪族基である。）、
から選択される１つ以上のペルフルオロビニルエーテルおよび
（ｇ）それらの組み合わせと
から誘導される共重合単位、および、任意に、
（ｉｉｉ）  ペルフルオロオレフィン、部分フッ素化オレフィン、非フッ素化オレフィン、フッ化ビニリデン、およびそれらの組み合わせからなる群より選択されるモノマーから誘導される共重合単位
を含む、請求項１または２に記載の組成物。
【請求項４】
請求項１〜３のいずれか一項に記載の硬化性または硬化した組成物を含む製品。
【請求項５】
（ｉ）主鎖を有するフルオロポリマーであって、テトラフルオロエチレン、任意にクロロトリフルオロエチレンおよび式、
ＣＦ2＝ＣＦ−Ｒf1、
ＣＦ2＝ＣＦ−Ｏ−Ｒf2および
ＣＨ2＝ＣＲ2
（式中、Ｒf1はＣ1〜Ｃ8ペルフルオロアルキルであり、Ｒf2はＲf1またはＣ1〜Ｃ15ペルフルオロアルコキシであり、各Ｒは独立にＨ、Ｆ、Ｃｌから、あるいはＦまたはＣｌ置換基を有しても良いＣ1〜Ｃ8脂肪族基から選択される。）によって表される１つ以上のエチレン性不飽和モノマーから誘導される共重合単位を有するフルオロポリマーと、
（ｉｉ）式、
−Ｃ＝ＮＨ（ＯＲ）
（式中、ＲはＦまたはＣｌ置換基を有しても良いＣ1〜Ｃ10脂肪族基である。）を有する、フルオロポリマー主鎖からのペンダントのイミデート基を有するモノマーと、任意に
（ｉｉｉ）一般式、
ＣＦ2＝ＣＦＯ（Ｒ'fＯ）a（Ｒ"fＯ）bＲf2
（式中、Ｒ'fおよびＲ"fは同一または異なるＣ1〜Ｃ6直鎖または分枝鎖ペルフルオロアルキレン基であり、ａおよびｂは独立に０または１〜１０の整数であり、Ｒf2はＣ1〜Ｃ8ペルフルオロアルキル基またはＣ1〜Ｃ15ペルフルオロアルコキシ基である。）のペルフルオロビニルエーテルの共重合単位と
を含む組成物を重合するステップを含み；
任意に、ペンダントのイミデート基がニトリル基を転換することによって導入され、
任意に、イミデート基が、
ａ）標的イミデート基に対応するニトリル基を含有するビニルエーテルを提供するステップと、
ｂ）そのニトリル基を含有するビニルエーテルとアルコールとを塩基の存在下で反応させるステップと
によってフルオロポリマー組成物に導入され、
任意に、ニトリル基を転換するステップが膨張剤を使用して実施され、および
任意に、混合物を成形するステップと、成形した混合物を硬化させるステップと、任意に硬化した混合物を熱老化させるステップと、をさらに含む、
フルオロポリマーの製造方法。
【手続補正２】
【補正対象書類名】明細書
【補正対象項目名】００４７
【補正方法】変更
【補正の内容】
【００４７】
フルオロポリマー組成物は、式、
｛Ｒ(Ａ)n｝(-n)｛ＱＲ"k(+)｝n
（式中、｛Ｒ(Ａ)n｝(-n)は、酸アニオンまたは酸誘導体アニオンであり、ｎは、前記アニオン中のＡ基の個数であり、Ｒは水素含有の部分フッ素化または過フッ素化Ｃ1〜Ｃ20アルキルまたはアルケニル、Ｃ3〜Ｃ20シクロアルキル、Ｃ6〜Ｃ20シクロアルケニル、またはＣ6〜Ｃ20アリールまたはアルキルアリール、または過フッ素化Ｃ6〜Ｃ20アリールまたはアルキルアリールであり、Ｑはリン(phosphorous)、イオウ、窒素、ヒ素、またはアンチモンであり、ｋはＱの原子価よりも１大きく、各Ｒ"は独立に水素または置換または非置換Ｃ1〜Ｃ20アルキル、アリール、アラルキル、またはアルケニル基である。）を有する化合物を含む触媒組成物を使用して硬化できる。一実施態様ではＱが窒素の場合、全てのＲ"が水素ではない。より詳しくは、その内容を本願明細書に引用した、同時係属の（特許文献４）（米国特許第６，８４４，３８８）、２００１年４月１２日に出願された（特許文献５）（代理人整理番号５６４４３ＵＳＡ２９）、２００１年１月３１日に出願された（特許文献６）（代理人整理番号５６３１１ＵＳＡ１９）および２００２年１月３０日に出願された（特許文献７）（代理人整理番号５６３１１ＵＳ００７）にある。